【手続補正書】
【提出日】平成25年8月12日(2013.8.12)
【手続補正１】
【補正対象書類名】特許請求の範囲
【補正対象項目名】全文
【補正方法】変更
【補正の内容】
【特許請求の範囲】
【請求項１】
ソーシャル情報を取得するための方法であって、
ウェブサーバにウェブページを要求することと、ここで、前記ウェブページはソーシャルネットワーキングシステムのドメインとは異なるサードパーティウェブサイトのドメイン内にあり、
前記要求したウェブページのためのマークアップ言語ドキュメントをユーザ装置において受信することと、ここで、前記マークアップ言語ドキュメントは、前記ソーシャルネットワーキングシステムから取得された情報を含むフレームを前記ウェブページ内に作成するための命令を含み、前記フレームは、前記ソーシャルネットワーキングシステムのドメイン内の或るウェブページを含むインラインフレームからなり、
前記マークアップ言語ドキュメント内の命令に基づいて、前記ソーシャルネットワーキングシステムに情報を要求することと、ここで、前記ソーシャルネットワーキングシステムに情報を要求することは、前記ソーシャルネットワーキングシステムに、前記要求された情報を選択するための１以上のパラメータを供給することからなり、ここで、前記ソーシャルネットワーキングシステムから受信される前記要求された情報は前記パラメータに基づいて選択されるようになっており、
前記ユーザ装置に関連付けられたユーザの識別情報を前記ソーシャルネットワーキングシステムに供給することと、
前記ソーシャルネットワーキングシステムから前記要求された情報を受信することと、ここで、前記受信される情報は、決定されるソーシャルネットワーキングシステムにより、前記ユーザに関連付けられたソーシャル情報に基づいて決定され、
前記フレーム内に収容された情報を含むウェブページを画像生成することと、
前記画像生成されたウェブページを表示すること
を具備する方法。
【請求項２】
前記１以上のパラメータは、前記要求された情報のためのＵＲＬ、ドメイン又はネットワークアドレスを少なくとも含むことを特徴とする請求項１に記載の方法。
【請求項３】
前記１以上のパラメータは、キーワード、興味、人口統計情報、所在地情報、ユーザ位置情報、相性抽出条件を適用する命令、及び、減衰因子を適用する命令からなるグループから選択されたパラメータを少なくとも１つ含むことを特徴とする請求項１に記載の方法。
【請求項４】
前記ソーシャルネットワーキングシステムに情報を要求することは、前記ソーシャルネットワーキングシステムの前記ドメインに情報を要求することからなることを特徴する請求項１に記載の方法。
【請求項５】
前記ユーザの識別情報を前記ソーシャルネットワーキングシステムに供給することは、前記ソーシャルネットワーキングシステムが前記ユーザ装置に記憶されたクッキーにアクセスすることを許可することからなることを特徴する請求項１に記載の方法。
【請求項６】
前記ユーザが前記ソーシャルネットワーキングシステムとの現存するセッションを持っているかどうかの指標を、該ソーシャルネットワーキングシステムに供給すること
を、更に具備することを特徴する請求項１に記載の方法。
【請求項７】
前記ソーシャルネットワーキングシステムから受信される前記要求された情報は、（１）前記ユーザが前記ソーシャルネットワーキングシステム内でつながりを確立した１以上の他のユーザにより行われた１以上のアクションと、（２）少なくとも１つの指定されたＵＲＬ又はドメインとに関係するコンテンツアイテムの１セットからなることを特徴する請求項１に記載の方法。
【請求項８】
１以上の前記指定されたＵＲＬ又はドメインは、前記要求されたウェブページとは別のものであることを特徴とする請求項７に記載の方法。
【請求項９】
前記アクションは、前記ソーシャルネットワーキングシステムに関連して或るウェブページへの接続を指定すること、前記ソーシャルネットワーキングシステムに関連して或るウェブページを共有すること、前記ソーシャルネットワーキングシステムに関連して或るウェブページに関してコメントを投稿すること、の少なくとも１つを含むことを特徴とする請求項７に記載の方法。
【請求項１０】
前記ソーシャルネットワーキングシステムから受信された前記要求された情報は、前記ソーシャルネットワーキングシステム内でつながりを確立した１以上の他のユーザにより行われた１以上のアクションに少なくとも部分的に基づいて選択された、前記ユーザのために推薦されたウェブページの１セットからなることを特徴する請求項１に記載の方法。
【請求項１１】
ソーシャル情報を供給するための方法であって、
ウェブページの要求を受信することと、ここで、前記ウェブページはソーシャルネットワーキングシステムのドメインとは異なるサードパーティウェブサイトのドメイン内にあり、
前記要求されたウェブページのためのマークアップ言語ドキュメントを取得することと、前記マークアップ言語ドキュメントは、前記ソーシャルネットワーキングシステムから取得された情報を含むフレームを前記ウェブページ内に作成するための命令を含み、前記フレームは、前記ソーシャルネットワーキングシステムのドメイン内の或るウェブページを含むインラインフレームからなり、
前記取得されたマークアップ言語ドキュメントを前記ユーザ装置に送信すること、
ここで、前記マークアップ言語ドキュメントは、前記ユーザ装置に、
前記マークアップ言語ドキュメント内の命令に基づいて前記ソーシャルネットワーキングシステムに対して情報を要求させ、ここで、前記マークアップ言語ドキュメントは、前記ユーザ装置が、前記ソーシャルネットワーキングシステムに対して情報を選択するための１以上のパラメータを供給することにより、該ソーシャルネットワーキングシステムに前記情報を要求するようにさせ、該ソーシャルネットワーキングシステムから受信される前記要求された情報は前記パラメータに基づいて選択されるようになっており、
前記ソーシャルネットワーキングシステムに、前記ユーザ装置に関連付けられたユーザの識別情報を供給させ、
前記要求した情報を前記ソーシャルネットワーキングシステムから受信させ、ここで、前記受信される情報は、前記ソーシャルネットワーキングシステムによって、前記ユーザに関連付けられたソーシャル情報に基づいて決定され、
前記フレーム内に収容された情報を含むウェブページを画像生成させて、
前記生成されたウェブページを表示させる
ものである
を具備することを特徴とする方法。
【請求項１２】
前記１以上のパラメータは、前記要求された情報のためのＵＲＬ、ドメイン又はネットワークアドレスを少なくとも含むことを特徴とする請求項１１に記載の方法。
【請求項１３】
前記１以上のパラメータは、キーワード、興味、人口統計情報、所在地情報、ユーザ位置情報、相性抽出条件を適用する命令、及び、減衰因子を適用する命令からなるグループから選択されたパラメータを少なくとも１つ含むことを特徴とする請求項１１に記載の方法。
【請求項１４】
前記マークアップ言語ドキュメントは、前記ユーザ装置に、前記ソーシャルネットワーキングシステムの前記ドメインに情報を要求することにより、前記ソーシャルネットワーキングシステムから前記情報を要求させることを特徴する請求項１１に記載の方法。
【請求項１５】
前記マークアップ言語ドキュメントは、前記ユーザ装置に、前記ソーシャルネットワーキングシステムが前記ユーザ装置に記憶されたクッキーにアクセスすることを許可することにより、前記ユーザの識別情報を前記ソーシャルネットワーキングシステムに供給させることを特徴する請求項１１に記載の方法。
【請求項１６】
前記マークアップ言語ドキュメントは、前記ユーザ装置に、更に、
前記ユーザが前記ソーシャルネットワーキングシステムとの現存するセッションを持っているかどうかの指標を、該ソーシャルネットワーキングシステムに供給させること
を特徴する請求項１１に記載の方法。
【請求項１７】
前記マークアップ言語ドキュメントは、前記ユーザ装置に、（１）前記ユーザが前記ソーシャルネットワーキングシステム内でつながりを確立した１以上の他のユーザにより行われた１以上のアクションと、（２）少なくとも１つの指定されたＵＲＬ又はドメインとに関係するコンテンツアイテムの１セットからなる情報を、前記ソーシャルネットワーキングシステムに対して要求させることを特徴する請求項１１に記載の方法。
【請求項１８】
１以上の前記指定されたＵＲＬ又はドメインは、前記要求されたウェブページとは別のものであることを特徴とする請求項１７に記載の方法。
【請求項１９】
前記アクションは、前記ソーシャルネットワーキングシステムに関連して或るウェブページへの接続を指定すること、前記ソーシャルネットワーキングシステムに関連して前記ウェブページを共有すること、前記ソーシャルネットワーキングシステムに関連して或るウェブページに関してコメントを投稿すること、の少なくとも１つを含むことを特徴とする請求項１７に記載の方法。
【請求項２０】
前記マークアップ言語ドキュメントは、前記ユーザ装置に、更に、前記ソーシャルネットワーキングシステム内でつながりを確立した１以上の他のユーザにより行われた１以上のアクションに少なくとも部分的に基づいて選択された、前記ユーザのために推薦されたウェブページの１セットからなる情報を、前記ソーシャルネットワーキングシステムに要求させることを特徴する請求項１１に記載の方法。
【請求項２１】
ソーシャル情報を供給するための方法であって、
ソーシャルネットワーキングシステムのサーバにおいて、マークアップ言語ドキュメント内の命令に基づく情報の要求を受信することと、ここで、前記情報の要求は、前記要求された情報を選択するための１以上のパラメータからなり、かつ、前記情報の要求は、ソーシャルネットワーキングシステムのドメインとは異なるサードパーティウェブサイトのウェブページの要求に応答しており、且つ、前記マークアップ言語ドキュメントは、前記ソーシャルネットワーキングシステムから取得された情報を含むフレームを前記ウェブページ内に作成するための命令を含み、前記フレームは、前記ソーシャルネットワーキングシステムの前記ドメイン内のウェブページを含むインラインフレームからなり、
前記要求に関連付けられたユーザを識別することと、
前記ユーザに関連付けられたソーシャル情報に基づいて前記要求された情報を決定することと、ここで、前記要求された情報を決定することは、前記パラメータに基づいて前記要求された情報を選択することからなり、
前記ウェブページのフレーム内に表示するために、前記要求された情報を送信すること
を具備することを特徴とする方法。
【請求項２２】
前記１以上のパラメータは、前記要求された情報のためのＵＲＬ、ドメイン又はネットワークアドレスを少なくとも含むことを特徴とする請求項２１に記載の方法。
【請求項２３】
前記１以上のパラメータは、キーワード、興味、人口統計情報、所在地情報、ユーザ位置情報、相性抽出条件を適用する命令、及び、減衰因子を適用する命令からなるグループから選択されたパラメータを少なくとも１つ含むことを特徴とする請求項２１に記載の方法。
【請求項２４】
前記決定された要求された情報は、前記ソーシャルネットワーキングシステムの前記ドメインからの情報からなることを特徴する請求項２１に記載の方法。
【請求項２５】
前記要求に関連付けられたユーザを識別することは、そこから前記要求を受信した前記ユーザ装置に記憶されたクッキーにアクセスすることからなることを特徴する請求項２１に記載の方法。
【請求項２６】
前記ユーザが前記ソーシャルネットワーキングシステムとの現存するセッションを持っているかどうかの指標を受信すること
を更に具備することを特徴する請求項２１に記載の方法。
【請求項２７】
前記要求された情報は、（１）前記ユーザが前記ソーシャルネットワーキングシステム内でつながりを確立した１以上の他のユーザにより行われた１以上のアクションと、（２）少なくとも１つの指定されたＵＲＬ又はドメインとに関係するコンテンツアイテムの１セットからなることを特徴する請求項２１に記載の方法。
【請求項２８】
１以上の前記指定されたＵＲＬ又はドメインは、前記要求されたウェブページとは別のものであることを特徴とする請求項２７に記載の方法。
【請求項２９】
前記アクションは、前記ソーシャルネットワーキングシステムに関連して或るウェブページへの接続を指定すること、前記ソーシャルネットワーキングシステムに関連して前記ウェブページを共有すること、前記ソーシャルネットワーキングシステムに関連して或るウェブページに関してコメントを投稿すること、の少なくとも１つを含むことを特徴とする請求項２７に記載の方法。
【請求項３０】
前記要求された情報は、前記ソーシャルネットワーキングシステム内でつながりを確立した１以上の他のユーザにより行われた１以上のアクションに少なくとも部分的に基づいて選択された、前記ユーザのために推薦されたウェブページの１セットからなることを特徴する請求項２１に記載の方法。